(57)【要約】【課題】再生品質およびリアルタイム性を低下させることなく、異なる無線通信ネットワークへのハンドオーバが可能な無線通信装置を提供する。【解決手段】第１無線通信ネットワーク15から第２無線通信ネットワーク16へハンドオーバする際に、ハンドオーバまでの準備時間と、第１無線通信ネットワーク15および第２無線通信ネットワーク16におけるそれぞれの遅延時間と、ハンドオーバ準備の開始を決定した時点のジッタバッファ47内のデータ量とに基づいて、再生速度計算部56でアプリケーションの再生速度を計算し、その計算した再生速度と再生速度評価部57に記憶されている評価値とに基づいて、実行中のアプリケーションの再生速度を制御する。【選択図】図３
2009182653.tif 000002
【特許請求の範囲】
【請求項１】
第１無線通信ネットワーク、および該第１無線通信ネットワークと異なる第２無線通信ネットワークに接続して無線通信を実行する無線通信部と、
ジッタバッファおよび該ジッタバッファのデータ量を監視するジッタバッファ監視部を有し、前記無線通信部を介してリアルタイム通信系のアプリケーションを実行する実行部と、
前記第１無線通信ネットワークに接続して前記アプリケーションを実行中に、当該第１無線通信ネットワークにおける無線リンクの通信品質を取得する通信品質取得部と、
該通信品質取得部により取得した前記通信品質に基づいて、前記第１無線通信ネットワークから前記第２無線通信ネットワークへのハンドオーバの準備を開始するか否かを決定する決定部と、
前記アプリケーションの実行中に、前記決定部がハンドオーバ準備の開始を決定すると、前記通信品質取得部が取得した通信品質に基づいてハンドオーバを開始するまでのハンドオーバ準備時間を推定する推定部と、
前記決定部がハンドオーバ準備の開始を決定すると、前記第１無線通信ネットワークおよび前記第２無線通信ネットワークにおけるそれぞれの遅延時間を計測する計測部と、
前記推定部により推定したハンドオーバ準備時間、前記計測部により計測した前記第１無線通信ネットワークおよび前記第２無線通信ネットワークにおけるそれぞれの遅延時間、前記決定部がハンドオーバ準備の開始を決定した時点での前記ジッタバッファ監視部による前記ジッタバッファ内のデータ量に基づいて、前記アプリケーションの再生速度を演算する再生速度計算部、および前記アプリケーションの再生速度毎の評価値を記憶した再生速度評価部を有し、前記再生速度計算部で算出した再生速度および前記再生速度評価部に記憶されている評価値に基づいて、前記実行部による当該アプリケーションの再生速度を制御する制御部と、
を備えることを特徴とする無線通信装置。
【請求項２】
前記制御部は、前記第１無線通信ネットワークにおける遅延時間と前記第２無線通信ネットワークにおける遅延時間とを比較し、前記第２無線通信ネットワークにおける遅延時間の方が、前記第１無線通信ネットワークにおける遅延時間よりも所定時間以上長い場合に、前記実行部による当該アプリケーションの再生速度を遅くすることを特徴とする請求項１に記載の無線通信装置。
【請求項３】
前記制御部は、ハンドオーバの準備を開始してから、前記実行部による当該アプリケーションの再生速度を遅くすることを特徴とする請求項２に記載の無線通信装置。
【請求項４】
前記制御部は、前記再生速度計算部で算出した再生速度が、前記再生速度評価部に記憶されている最大評価値における最低再生速度以上の場合は、当該算出した再生速度で前記アプリケーションを再生するように制御し、
前記再生速度計算部で算出した再生速度が、前記最大評価値における最低再生速度未満の場合は、前記再生速度評価部により複数の評価値に対応する複数の再生速度の組み合わせからなる複合評価値を算出し、その算出した複合評価値から、前記再生速度計算部により、前記ハンドオーバ準備の開始を決定した時点から前記第２無線通信ネットワークからのデータの受信開始時点までの期間で、最も複合評価値の高い再生速度の組み合わせを選択して、当該選択した再生速度の組み合わせで前記アプリケーションを再生するように制御することを特徴とする請求項１，２または３に記載の無線通信装置。
【請求項５】
前記制御部は、前記第２無線通信ネットワークへのハンドオーバが完了した後、前記ジッタバッファ監視部が監視する前記ジッタバッファのデータ量が所定量を超えると、当該アプリケーションの再生速度を通常の速度に戻すことを特徴とする請求項２，３または４に記載の無線通信装置。
【発明の詳細な説明】
【技術分野】
【０００１】
本発明は、異なる無線通信ネットワーク間でのハンドオーバが可能な無線通信装置に関するものである。
【背景技術】
【０００２】
近年、ＩＥＴＦ（Internet Engineering Task Force）では、ユビキタス環境の実現に向けて、例えば携帯電話ネットワークや無線ＬＡＮ等、異なる複数の無線通信ネットワーク間でのハンドオーバを可能として、シームレスな移動を行うＩＰモビリティ技術が検討されている。このＩＰモビリティ技術における具体的なプロトコルとしては、通信端末個々の移動をサポートするモバイルＩＰｖ４およびモバイルＩＰｖ６（以下、これらを総称してモバイルＩＰと略称する）があり、ネットワーク単位での移動をサポートするＮＥＭＯ（Network Mobility）がある。
【０００３】
ところで、無線通信ネットワークを介して、ＶｏＩＰなどのリアルタイム性を有するアプリケーション（以下、適宜、アプリと略称する）を実行する場合、無線通信経路の許容帯域は、フェージング等の伝搬環境に依存して変化し、その許容帯域の変化に応じて通信端末が受信するパケットの到着間隔も変化する。
【０００４】
このため、一般には、通信端末にジッタバッファを設けて、受信したパケットを一旦、ジッタバッファに溜め込み、その後、アプリに応じた間隔でジッタバッファからパケットを読み出して再生することにより、パケットの揺らぎ、すなわち到着間隔のずれ（ジッタ）によるパケットの再生間隔のずれを吸収して、再生音質等の再生品質の低下を防止するようにしている。また、ジッタが大きく、ジッタバッファ内のパケットがなくなって無音等が発生してしまう場合や、短時間で大量にパケットを受信して、パケットがジッタバッファに入りきらない場合などは、再生速度を変えたり、受信したパケットを破棄したり、ジッタバッファのサイズを変更したり、している。
【０００５】
一方、通信端末が受信するパケットの下り絶対遅延時間、すなわち、相手通信端末から送信されたパケットが、無線通信ネットワークを介して受信されるまでに要する時間（遅延時間）は、無線通信ネットワークに応じて異なる。このため、通信端末が移動する無線通信装置の場合には、異なる無線通信ネットワークにハンドオーバした際に、例えば、ハンドオーバ先の下り絶対遅延時間が、ハンドオーバ元の下り絶対遅延時間より長いと、その差の分だけ、パケットの受信空き時間が生じることになる。
【０００６】
このような場合、例えば、ジッタバッファからのパケットの読み出し間隔を、アプリに応じた一定の間隔として、一定の再生速度でパケットを再生すると、ハンドオーバ元の無線通信ネットワークから受信した最後のパケットが、ジッタバッファから読み出されるまでに要する時間（すなわち、ジッタバッファ標準遅延時間）よりも、上記の受信空き時間が長い場合には、その長い分の時間は、ジッタバッファ内のパケットが空となる。その結果、少なくとも、この時間帯は、パケットの再生が行われないため、無音等の状態となって再生品質の低下を招くことになる。
【０００７】
図１４は、この場合のジッタバッファの制御方法を説明するための図で、図１４（ａ）は、ジッタバッファが単位時間当たりに受信するパケット数、図１４（ｂ）は、ジッタバッファからのパケットの再生速度（読み出し間隔）、図１４（ｃ）は、ジッタバッファ内のパケット数を示している。また、図１５は、この場合のパケットの流れを示しており、「送信」は、相手通信端末によるパケットの送信タイミング、「受信」は、無線通信装置のジッタバッファが受信するパケットの受信タイミング、「再生」は、無線通信装置によるパケットの再生タイミング（ジッタバッファからのパケットの読み出しタイミング）を示している。なお、ここでは、ハンドオーバ元の無線通信ネットワークＡおよびハンドオーバ先の無線通信ネットワークＢの各々において、受信パケットに揺らぎ（到着間隔のずれ）はないものとして示している。
【０００８】
図１４および図１５から明らかなように、ハンドオーバ先の無線通信ネットワークＢにおける下り絶対遅延時間TddnBが、ハンドオーバ元の無線通信ネットワークＡにおける下り絶対遅延時間TddnAよりも長く、かつ、（TddnB−TddnA）が、ジッタバッファ内に標準のパケット数が蓄積されている場合に受信パケットが受けるジッタバッファ標準遅延時間Taよりも長い場合には、Tn＝{（TddnB−TddnA）−Ta}、の時間は、パケットの再生が行われないことになる。しかも、この場合には、ハンドオーバ先の無線通信ネットワークＢからパケットを受信したら、直ちに再生することになるため、ジッタを吸収できないことになる。
【０００９】
このようなハンドオーバ時の不具合を改善し得るものとして、例えば、パケットの受信状況を監視し、パケットが通常の受信間隔で受信できなかった場合には、ジッタバッファからのパケットの読み出し、すなわちパケットの再生速度を制御するようにしたジッタバッファの制御方法が提案されている（例えば、特許文献１参照）。
【００１０】
図１６は、特許文献１に開示されたジッタバッファの制御方法を説明するための図で、図１６（ａ）〜（ｃ）は、図１４（ａ）〜（ｃ）と同様に、ジッタバッファの単位時間当たりの受信パケット数、再生速度、ジッタバッファ内のパケット数を示している。また、図１７は、この場合のパケットの流れを示している。
【００１１】
図１６および図１７においては、下り絶対遅延時間がTddnAの無線通信ネットワークＡから、TddnAよりも長い下り絶対遅延時間TddnBの無線通信ネットワークＢにハンドオーバした場合のように、それまでの受信間隔でパケットが受信できなかった場合には、受信間隔の増加に従って、ジッタバッファ内のパケットの再生速度を徐々に低速とし、その後、受信間隔が正常に戻った場合には、ジッタバッファ内のパケット数に応じて、再生速度を通常の再生速度まで徐々に増加させるように制御している。
【００１２】
【特許文献１】特開２００６−２３８４４５号公報
【発明の開示】
【発明が解決しようとする課題】
【００１３】
しかしながら、特許文献１に開示のジッタバッファの制御方法においては、単に、それまでの受信間隔でパケットが受信できなかった場合に、ジッタバッファに現在溜まっているパケットの再生速度を徐々に遅くするように制御しているに過ぎない。このため、ハンドオーバ先の下り絶対遅延時間TddnBが比較的長い場合には、再生速度の低速変化が大きくなって、再生品質の低下を招くことが懸念される。したがって、例えばＶｏＩＰにおいては、再生速度がもとの音声の速度から大きく変化することになるため、再生音の音質が大きく低下し、ユーザにとって聞きにくくなる。
【００１４】
また、図１６および図１７は、ジッタバッファ内のパケットが空となって、無音等が発生しなかった場合の制御例を示しているが、実際には、パケットの受信間隔がどれだけ空くかは未知であるため、ジッタバッファ標準遅延時間Taやハンドオーバ先の下り絶対遅延時間TddnBによっては、ジッタバッファ内のパケットが空となって、無音等が発生することも懸念される。なお、無音等の発生を防止するため、ジッタバッファ標準遅延時間Taを、より大きくすることも考えられるが、このようにすると、例えば、ＶｏＩＰにおいては、相手端末からのパケットの再生に遅れが生じるため、リアルタイム性に欠けることになる。
【００１５】
したがって、かかる点に鑑みてなされた本発明の目的は、再生品質およびリアルタイム性を低下させることなく、異なる無線通信ネットワークへのハンドオーバが可能な無線通信装置を提供することにある。
【課題を解決するための手段】
【００１６】
上記目的を達成する請求項１に係る無線通信装置の発明は、
第１無線通信ネットワーク、および該第１無線通信ネットワークと異なる第２無線通信ネットワークに接続して無線通信を実行する無線通信部と、
ジッタバッファおよび該ジッタバッファのデータ量を監視するジッタバッファ監視部を有し、前記無線通信部を介してリアルタイム通信系のアプリケーションを実行する実行部と、
前記第１無線通信ネットワークに接続して前記アプリケーションを実行中に、当該第１無線通信ネットワークにおける無線リンクの通信品質を取得する通信品質取得部と、
該通信品質取得部により取得した前記通信品質に基づいて、前記第１無線通信ネットワークから前記第２無線通信ネットワークへのハンドオーバの準備を開始するか否かを決定する決定部と、
前記アプリケーションの実行中に、前記決定部がハンドオーバ準備の開始を決定すると、前記通信品質取得部が取得した通信品質に基づいてハンドオーバを開始するまでのハンドオーバ準備時間を推定する推定部と、
前記決定部がハンドオーバ準備の開始を決定すると、前記第１無線通信ネットワークおよび前記第２無線通信ネットワークにおけるそれぞれの遅延時間を計測する計測部と、
前記推定部により推定したハンドオーバ準備時間、前記計測部により計測した前記第１無線通信ネットワークおよび前記第２無線通信ネットワークにおけるそれぞれの遅延時間、前記決定部がハンドオーバ準備の開始を決定した時点での前記ジッタバッファ監視部による前記ジッタバッファ内のデータ量に基づいて、前記アプリケーションの再生速度を演算する再生速度計算部、および前記アプリケーションの再生速度毎の評価値を記憶した再生速度評価部を有し、前記再生速度計算部で算出した再生速度および前記再生速度評価部に記憶されている評価値に基づいて、前記実行部による当該アプリケーションの再生速度を制御する制御部と、
を備えることを特徴とするものである。
【００１７】
請求項２に係る発明は、請求項１に記載の無線通信装置において、
前記制御部は、前記第１無線通信ネットワークにおける遅延時間と前記第２無線通信ネットワークにおける遅延時間とを比較し、前記第２無線通信ネットワークにおける遅延時間の方が、前記第１無線通信ネットワークにおける遅延時間よりも所定時間以上長い場合に、前記実行部による当該アプリケーションの再生速度を遅くすることを特徴とするものである。
【００１８】
請求項３に係る発明は、請求項２に記載の無線通信装置において、
前記制御部は、ハンドオーバの準備を開始してから、前記実行部による当該アプリケーションの再生速度を遅くすることを特徴とするものである。
【００１９】
請求項４に係る発明は、請求項１，２または３に記載の無線通信装置において、
前記制御部は、前記再生速度計算部で算出した再生速度が、前記再生速度評価部に記憶されている最大評価値における最低再生速度以上の場合は、当該算出した再生速度で前記アプリケーションを再生するように制御し、
前記再生速度計算部で算出した再生速度が、前記最大評価値における最低再生速度未満の場合は、前記再生速度評価部により複数の評価値に対応する複数の再生速度の組み合わせからなる複合評価値を算出し、その算出した複合評価値から、前記再生速度計算部により、前記ハンドオーバ準備の開始を決定した時点から前記第２無線通信ネットワークからのデータの受信開始時点までの期間で、最も複合評価値の高い再生速度の組み合わせを選択して、当該選択した再生速度の組み合わせで前記アプリケーションを再生するように制御することを特徴とするものである。
【００２０】
請求項５に係る発明は、請求項２，３または４に記載の無線通信装置において、
前記制御部は、前記第２無線通信ネットワークへのハンドオーバが完了した後、前記ジッタバッファ監視部が監視する前記ジッタバッファのデータ量が所定量を超えると、当該アプリケーションの再生速度を通常の速度に戻すことを特徴とするものである。
【発明の効果】
【００２１】
本発明では、第１無線通信ネットワークから第２無線通信ネットワークへハンドオーバする際に、事前に、ハンドオーバまでの準備時間と、第１無線通信ネットワークおよび第２無線通信ネットワークにおけるそれぞれの遅延時間と、ハンドオーバ準備の開始を決定した時点でのジッタバッファ内のデータ量とを取得して、それらの取得情報に基づいて、再生速度計算部によりアプリケーションの再生速度を算出し、その算出した再生速度と再生速度評価部に記憶されている再生速度毎の評価値とに基づいて、アプリケーションの再生速度を制御する。これにより、例えば、ハンドオーバ先の第２無線通信ネットワークの遅延時間が、ハンドオーバ元の第１無線通信ネットワークの遅延時間よりも長い場合には、再生速度を遅くして遅延時間差を吸収するのにかけることのできる時間を増やしながら、評価の高い再生速度でアプリケーションを再生することができる。したがって、より標準再生速度に近い速度で再生することができる。また、遅延時間差が大きく、標準再生速度で再生できない場合も、評価の高い再生速度で再生することができるので、再生品質およびリアルタイム性を低下させることなく、第１無線通信ネットワークから第２無線通信ネットワークへのハンドオーバが可能となる。
【発明を実施するための最良の形態】
【００２２】
以下、本発明の実施の形態について、図を参照して説明する。
【００２３】
図１は、本発明の一実施の形態に係る無線通信装置が使用可能な通信ネットワークの概略構成を示す図である。図１において、移動ノードである無線通信装置１１は、対向ノードである相手通信端末１２との間で、リアルタイム通信系のアプリであるＶｏＩＰによる通話を行うものとする。無線通信装置１１は、第１無線通信ネットワーク１５と第２無線通信ネットワーク１６との間で、ハンドオーバが可能となっている。第１無線通信ネットワーク１５および第２無線通信ネットワーク１６は、パケットネットワーク１７を介して、インターネット１８に結合されている。
【００２４】
ここで、第１無線通信ネットワーク１５は、例えば無線ＬＡＮからなり、第２無線通信ネットワーク１６は、例えばｃｄｍａ２０００  ＥＶ−ＤＯの携帯電話ネットワークからなり、第１無線通信ネットワーク１５における遅延時間（下り絶対遅延時間）の方が、第２無線通信ネットワーク１６における遅延時間（下り絶対遅延時間）よりも、短くなっている。なお、図１において、符号１５ａは、第１無線通信ネットワーク１５のアクセスポイントを示し、符号１６ａは、第２無線通信ネットワーク１６の基地局を示している。
【００２５】
相手通信端末１２は、例えば送受話器１２ａが接続され、ソフトフォンがインストールされたパーソナルコンピュータからなり、図示しないインターネットサービスプロバイダを介してインターネット１８に接続されている。
【００２６】
また、パケットネットワーク１７およびインターネット１８には、それぞれ通信を制御するＳＩＰ（Session Initiation Protocol）サーバ２１および２２が接続されている。さらに、インターネット１８には、無線通信装置１１宛の受信パケットを、無線通信装置１１が接続されている無線通信ネットワークに転送するホームエージェント（ＨＡ）２３が接続されている。
【００２７】
図１に示す通信ネットワークにおいては、ＨＡ２３に、無線通信装置１１が本来属する無線通信ネットワークで用いるホームアドレスを登録するとともに、ハンドオーバ時に、ハンドオーバ先の無線通信ネットワーク１６の気付けアドレス（care of address）を登録することにより、異なる無線通信ネットワーク間でのハンドオーバを可能としている。なお、このようなＩＰモビリティ技術については、上述したモバイルＩＰや、ＮＥＭＯにおいて公知であるので、ここでは詳細な説明は省略する。
【００２８】
本実施の形態では、無線通信装置１１が本来属する無線通信ネットワークを第１無線通信ネットワーク１５として、この第１無線通信ネットワーク１５から第２無線通信ネットワーク１６へハンドオーバするものとする。
【００２９】
図２は、図１に示した本実施の形態に係る無線通信装置１１の概略構成を示す機能ブロック図である。無線通信装置１１は、第１無線通信ネットワーク１５に対応する第１無線Ｉ／Ｆ（インターフェース）３１と、第２無線通信ネットワーク１６に対応する第２無線Ｉ／Ｆ３２と、ＶｏＩＰのアプリを実行する電話機能部３３と、第１無線通信ネットワーク１５および第２無線通信ネットワーク１６への接続を制御する通信処理部３４と、第１無線通信ネットワーク１５および第２無線通信ネットワーク１６の無線情報を取得する無線情報取得部３５と、第１無線通信ネットワーク１５と第２無線通信ネットワーク１６との間のハンドオーバを制御するハンドオーバ制御部３６と、を有する。
【００３０】
通信処理部３４は、無線通信を実行する無線通信部を構成するもので、電話機能部３３と相手通信端末１２との間で、第１無線通信ネットワーク１５または第２無線通信ネットワーク１６を介して通話を行うとともに、ハンドオーバ制御部３６による制御のもとに、ＨＡ２３と通信するように、第１無線Ｉ／Ｆ３１または第２無線Ｉ／Ｆ３２の接続を制御する。
【００３１】
無線情報取得部３５は、無線情報として、第１無線Ｉ／Ｆ３１および第２無線Ｉ／Ｆ３２から、それぞれ対応する第１無線通信ネットワーク１５および第２無線通信ネットワーク１６の通信品質を取得し、その取得した通信品質をハンドオーバ制御部３６に供給する。ここで、通信品質は、例えば、無線状態を表すＲＳＳＩ（Received Signal Strength Indicator）を取得する。したがって、本実施の形態では、無線情報取得部３５が、無線リンクの通信品質を取得する通信品質取得部を構成している。
【００３２】
ハンドオーバ制御部３６は、無線情報取得部３５からの通信品質に基づいて、ハンドオーバを予定するか否か、すなわちハンドオーバの準備を開始するか否かの決定を含むハンドオーバ情報を生成し、そのハンドオーバ情報に基づいてハンドオーバを制御する。
【００３３】
図３は、図２に示した無線通信装置１１の電話機能部３３の概略構成を示す機能ブロック図である。電話機能部３３は、例えばソフトフォンからなり、公知のソフトフォンの構成と同様に、ボタン入力部４１、画面表示部４２、マイク４３、エンコーダ４４、パケット送信部４５、パケット受信部４６、ジッタバッファ４７、デコーダ４８、スピーカ４９、ジッタバッファ監視部５０、ジッタバッファ制御部５１、ＳＩＰ制御部５２、および全体の動作を制御する全体制御部５３を有する。
【００３４】
全体制御部５３は、ボタン入力部４１や画面表示部４２を介して、ユーザの操作情報を取得し、その取得情報に基づいて全体の動作を制御する。また、ＳＩＰ制御部５２は、通話の開始や終了のＳＩＰの手続きを制御する。通話中は、マイク４３から取得した音声データを、エンコーダ４４でエンコードし、そのエンコードしたデータを、パケット送信部４５からパケットにいれて、通信処理部３４を経て相手通信端末１２へ送信する。
【００３５】
また、通信処理部３４を経てパケット受信部４６で受信した相手通信端末１２からのパケットは、ジッタバッファ４７に一旦取り込んでから読み出し、その読み出したパケットは、デコーダ４８でペイロード部分をデコードして、スピーカ４９から再生音声として出力する。なお、ジッタバッファ４７のパケットの受信状況や、ジッタバッファ４７内のパケット数（データ量）の状態は、ジッタバッファ監視部５０で監視し、その監視結果に基づいて、ジッタバッファ制御部５１により、ジッタバッファ４７からのパケットの読み出し速度や、受信したパケットの破棄などの処理を制御する。
【００３６】
本実施の形態では、電話機能部３３に、さらに、ハンドオーバ情報取得部５５、再生速度計算部５６、および再生速度評価部５７を設けている。ハンドオーバ情報取得部５５は、ハンドオーバ制御部３６からのハンドオーバ情報を一定間隔毎に監視して、ハンドオーバの予定があるか否かの情報を取得する。ハンドオーバの予定があった場合には、ハンドオーバ情報取得部５５は、さらに、ハンドオーバ制御部３６から所要のハンドオーバ情報を取得して、その取得した所要のハンドオーバ情報を再生速度計算部５６に供給する。
【００３７】
再生速度計算部５６は、ハンドオーバ情報取得部５５から取得した所要のハンドオーバ情報に基づいて、ジッタバッファ４７のパケットの読み出し速度、すなわち受信パケットの再生速度（本実施の形態では、ＶｏＩＰアプリの再生速度）を制御するか否かを判定する。その結果、制御する場合には、再生速度計算部５６は、当該取得した所要のハンドオーバ情報と、ジッタバッファ監視部５０によるジッタバッファ４７の監視結果とに基づいて、受信パケットの再生速度を計算する。
【００３８】
また、再生速度評価部５７には、アプリケーションの再生速度毎の評価値を予め記憶しておく。ここで、ＶｏＩＰアプリケーションの場合には、再生速度を標準再生速度から低下したときの音質（すなわち速度変化したときの音質の評価値）、および、一定の再生速度における音単体での音質の評価値は、例えば図４に示すようになる。したがって、図４の評価結果をもとに、再生速度評価部５７には、図５に示すような再生速度毎の評価値を予め記憶しておく。なお、図５において、横軸は再生速度が標準再生速度から各速度へ変化した時の評価値であり、縦軸は各再生速度の音単体の評価値である。本実施の形態では、この両方の評価値を元に、標準再生速度に近い評価値５（標準再生速度を含む）から、無音の評価値０に近い評価値１（無音も含む）まで、再生速度を５段階に分類している。この再生速度毎の評価値は、デフォルトで設定するようにしても良いし、ユーザにより任意に設定するようにしても良い。
【００３９】
再生速度計算部５６は、算出した再生速度が、再生速度評価部５７に記憶されている最大評価値における最低再生速度以上の場合は、当該算出した再生速度をアプリの再生速度として、ジッタバッファ制御部５１に供給する。
【００４０】
これに対し、再生速度計算部５６で算出した再生速度が、再生速度評価部５７に記憶されている最大評価値における最低再生速度未満の場合は、再生速度評価部５７は、複数の評価値に対応する複数の再生速度の組み合わせからなる複合評価値を算出して、その算出結果を再生速度計算部５６に供給する。再生速度計算部５６は、再生速度評価部５７からの複合評価値のなかから、ハンドオーバ準備の開始を決定した時点から第２無線通信ネットワーク１６からのパケットの受信開始時点までの期間で、最も複合評価値の高い再生速度の組み合わせを選択し、その選択した再生速度の組み合わせをアプリの再生速度として、ジッタバッファ制御部５１に供給する。これにより、ジッタバッファ制御部５１は、受信パケットの再生速度が、再生速度計算部５６からの再生速度となるように、ジッタバッファ４７からの受信パケットの読み出しを制御する。したがって、本実施の形態では、電話機能部３３が、リアルタイム通信系のアプリケーションを実行する実行部、および当該アプリケーションの再生速度を制御する制御部を構成している。
【００４１】
以下、本実施の形態に係る無線通信装置１１の動作について説明する。先ず、主としてハンドオーバ制御部３６の動作について説明する。
【００４２】
ハンドオーバ制御部３６は、第１無線Ｉ／Ｆ３１および第２無線Ｉ／Ｆ３２からそれぞれ取得した通信品質に基づいて、ハンドオーバの予定を決定する。例えば、第１無線通信ネットワーク１５と無線リンクを形成して通話を行っている場合に、第１無線Ｉ／Ｆ３１から取得した通信品質がハンドオーバ予定決定閾値よりも悪くなり、かつ第２無線Ｉ／Ｆ３２の通信品質がハンドオーバ予定決定閾値以上となった場合には、ハンドオーバ制御部３６において、第２無線通信ネットワーク１６へのハンドオーバ予定を決定する、すなわちハンドオーバ準備の開始を決定する。なお、通話に使用していない第２無線通信ネットワーク１６の通信品質は、例えば、基地局１６ａから送信される報知情報を受信して取得する。
【００４３】
ハンドオーバ制御部３６は、ハンドオーバ予定を決定した場合には、ハンドオーバ開始までのハンドオーバ準備時間T1、現在使用中の無線通信ネットワーク（ここでは、第１無線通信ネットワーク１５）におけるハンドオーバ元下り絶対遅延時間Tddn1、ハンドオーバ先の無線通信ネットワーク（ここでは、第２無線通信ネットワーク１６）におけるハンドオーバ先下り絶対遅延時間Tddn2を取得し、これらの情報を所要のハンドオーバ情報として、ハンドオーバ予定有りを示す情報とともに、電話機能部３３に供給する。したがって、本実施の形態では、ハンドオーバ制御部３６が、ハンドオーバの準備を開始するか否かを決定する決定部、ハンドオーバ準備時間を推定する推定部、および第１無線通信ネットワーク１５および第２無線通信ネットワーク１６におけるそれぞれの遅延時間を計測する計測部を構成している。
【００４４】
次に、ハンドオーバ制御部３６による、ハンドオーバ準備時間T1、ハンドオーバ元下り絶対遅延時間Tddn1、ハンドオーバ先下り絶対遅延時間Tddn2の取得方法について説明する。
【００４５】
（ハンドオーバ準備時間T1の取得方法）
ハンドオーバ準備時間T1は、例えば、図６（ａ）および（ｂ）に示すように、通信品質を決定する無線状態(Rs)の単位時間の変化率ΔRs（傾き）に基づいて算出する。ここで、変化率ΔRsは、無線状態がハンドオーバ予定決定閾値を下回ってハンドオーバ予定を決定した時点で計測して取得することもできるが、本実施の形態では、当該通話中において、ハンドオーバの予定決定時点から所定時間前までの変化率平均値ΔRsrmsを取得する。
【００４６】
このため、ハンドオーバ制御部３６は、下記の（１）式に従って、現在使用中の無線通信ネットワークにおける無線状態の単位時間（Δｔ）の変化率ΔRs(t)を所定のタイミングで算出して、所定時間前（例えば、２sec前）までの複数の変化率ΔRs(t)をメモリに保持するようにし、ハンドオーバ予定を決定したら、その時点で保持していた所定時間前までの変化率平均値ΔRsrmsを算出する。なお、ここでは、徐々に無線状態が悪化していることを前提とする。
［数１］
ΔRs(t)＝|{Rs(t)−Rs(t-Δt)}／Δt|    ・・・（１）
【００４７】
その後、ハンドオーバ制御部３６は、算出した変化率平均値ΔRsrmsが、予め設定した変化率閾値Rsrefよりも小さいか否かを判定する。その結果、ΔRsrms≦Rsrefの場合、すなわち、無線状態の変化が緩やかな場合には、図６（ａ）に示すように、ハンドオーバ準備時間T1を、予め設定した標準時間Tref（例えば、５sec）とする。
【００４８】
これに対し、ΔRsrms＞Rsrefの場合、すなわち、無線状態の変化が急激な場合には、例えば、T1＝Tref（Rsref／ΔRsrms）、を演算して、変化率ΔRsrmsが大きいほど、ハンドオーバ準備時間T1を、標準時間Trefよりも短く設定する。図６（ｂ）は、ΔRsrms＞Rsrefの場合で、ハンドオーバ準備時間T1を、標準時間Trefのほぼ半分の時間（２．５sec）に設定した場合を示している。
【００４９】
（絶対遅延時間Tddn1、Tddn2の取得方法）
ハンドオーバ元下り絶対遅延時間Tddn1およびハンドオーバ先下り絶対遅延時間Tddn2は、例えば、以下に説明する第１〜第４の絶対遅延時間取得方法のいずれかによって取得する。なお、本実施の形態では、相手通信端末（ＣＮ）１２とＨＡ２３との間のネットワークは切替わらないので、この間の絶対遅延時間は考慮しないものとする。
【００５０】
（ａ）第１の絶対遅延時間取得方法
ハンドオーバ制御部３６においてハンドオーバの予定を決定したら、電話機能部３３および／または通信処理部３４を制御して、無線通信装置１１と時間同期しているＨＡ２３に対して送信タイムスタンプを有する計測用パケットの送信を要求し、これにより、ＨＡ２３から、第１無線通信ネットワーク１５および第２無線通信ネットワーク１６の双方に計測用パケットを送信させる。無線通信装置１１は、ＨＡ２３から送信された計測用パケットを、対応する第１無線Ｉ／Ｆ３１および第２無線Ｉ／Ｆ３２を介してそれぞれ受信し、その受信時刻と計測用パケットのタイムスタンプとから、対応するネットワークの下り絶対遅延時間Tddn1およびTddn2を計測する。なお、ハンドオーバ元の無線通信ネットワークの下り絶対遅延時間が、通話中の受信パケットから計測できる場合には、当該無線通信ネットワークへの計測用パケットの送出は省略することができる。
【００５１】
（ｂ）第２の絶対遅延時間取得方法
ハンドオーバ制御部３６においてハンドオーバの予定を決定したら、電話機能部３３および／または通信処理部３４を制御して、無線通信装置１１と時間同期しているＨＡ２３に対してその旨を通知し、これにより、上記第１の絶対遅延時間取得方法と同様に、ＨＡ２３から、第１無線通信ネットワーク１５および第２無線通信ネットワーク１６の双方に計測用パケットを送信して、対応するネットワークの下り絶対遅延時間Tddn1およびTddn2を計測する。
【００５２】
（ｃ）第３の絶対遅延時間取得方法
ハンドオーバ制御部３６においてハンドオーバの予定を決定したら、電話機能部３３および／または通信処理部３４を制御して、無線通信装置１１から該無線通信装置１１と時間同期しているＨＡ２３に対して、第１無線通信ネットワーク１５および第２無線通信ネットワーク１６の双方から、ＰＩＮＧやＲＴＣＰ等の計測用パケットを送信し、その返信を受信して、対応するネットワークの下り絶対遅延時間Tddn1およびTddn2を計測する。
【００５３】
（ｄ）第４の絶対遅延時間取得方法
ハンドオーバ制御部３６においてハンドオーバの予定を決定すると、ＩＥＥＥ８０２．２１において検討されているハンドオーバ技術を利用して、各無線通信ネットワークの絶対遅延時間を取得する。その例示を以下に行う。
第１無線通信ネットワーク１５の絶対遅延時間（Tddn1）の取得方法を以下に説明する。
無線通信装置１１は、第１無線通信ネットワーク１５の第１インフォメーションサーバに保持されている次の値を取得する。
・遅延時間を計測するために動作する計測用サーバ（例えば、インターネット１８の基幹ネットワーク網に接続しているものとする）から第１無線通信ネットワーク１５で接続している現在のアクセスポイント１５ａまでの片道遅延時間の標準値（Tn3）
・アクセスポイント１５ａとそこに繋がる端末間の上下の遅延時間の標準値（下り：Trdn3，上り：Trup3）
さらに、無線通信装置１１は、ＰＩＮＧ等の計測用パケットをＨＡ２３に対して送信し、その返信を受信して、無線通信装置１１とＨＡ２３との間の往復遅延時間Trt1を計測する。
そして、これらの値から第１無線通信ネットワーク１５の絶対遅延時間Tddn1を、下記の（２）式に従って計算する。ただし、アクセスポイント１５ａとＨＡ２３との間の片道遅延時間が取得できないため、この片道遅延時間をTn3と、｛Trt1-(Tn3+Trdn3+Tn3+Trup3)｝／２との加算により近似値とする。
［数２］
Tddn1＝Tn3＋Trdn3＋｛Trt1-(Tn3+Trdn3+Tn3+Trup3)｝／２    ・・・（２）
【００５４】
次に、ハンドオーバ先である第２無線通信ネットワーク１６の絶対遅延時間（Tddn2）の取得方法を以下に説明する。
無線通信装置１１は、第１無線通信ネットワーク１５の第１インフォメーションサーバを経由して、ハンドオーバ先の第２無線通信ネットワーク１６に接続されている第２インフォメーションサーバに保持されている次の値を取得する。なお、第２インフォメーションサーバへは、無線通信装置１１またはアクセスポイント１５ａで取得した無線通信装置１１の位置情報を送信する。
・無線通信装置１１が接続されると予想される基地局１６ａと計測用サーバとの間の片道遅延時間の標準値（Tn4）
・基地局１６ａとそこに繋がる端末間の上下の遅延時間の標準値（下り：Trdn4，上り：Trup4）
そして、これらの値から第２無線通信ネットワーク１６の絶対遅延時間Tddn2を、下記の（３）式に従って計算する。ただし、基地局１６ａとＨＡ２３との間の片道遅延時間が取得できないため、この片道遅延時間をTn4と、｛Trt1-(Tn3+Trdn3+Tn3+Trup3)｝／２との加算により近似値とする。
［数３］
Tddn2＝Tn4＋Trdn4＋｛Trt1-(Tn3+Trdn3+Tn3+Trup3)｝／２    ・・・（３）
【００５５】
以上のようにして、ハンドオーバ制御部３６は、ハンドオーバ準備時間T1、ハンドオーバ元下り絶対遅延時間Tddn1、およびハンドオーバ先下り絶対遅延時間Tddn2を取得して、それらの取得情報を電話機能部３３に供給する。
【００５６】
また、ハンドオーバ制御部３６は、ハンドオーバ予定を決定した場合には、通信処理部３４を制御して、第２無線Ｉ／Ｆ３２を第２無線通信ネットワーク１６に接続する。その後、ハンドオーバ制御部３６は、ハンドオーバ準備時間T1が経過した時点で、ハンドオーバ先の第２無線通信ネットワーク１６を介してＨＡ２３にRegistration Request（ＮＥＭＯでは、Binding Update）を送信して、ＨＡ２３にハンドオーバ先の気付けアドレス（care of address）を登録する。
【００５７】
その際、ハンドオーバ制御部３６は、Registration RequestメッセージのRegistration Request Fieldの８ビットを通信処理部３４にセットし（ＮＥＭＯでは、Multiple care of addressを使用し）、第１無線通信ネットワーク１５でも第２無線通信ネットワーク１６でも通信できるようにする。
【００５８】
その後、ハンドオーバ制御部３６は、ＨＡ２３から返信されるハンドオーバ完了情報であるRegistration Reply（ＮＥＭＯでは、Binding Acknowledge）を受信したら、ハンドオーバ元の第１無線通信ネットワーク１５の気付けアドレスの登録を解除し、接続を切断して、以後は、ハンドオーバ先の第２無線通信ネットワーク１６を介してＶｏＩＰアプリを継続するように通信処理部３４を制御するとともに、受信したハンドオーバ完了情報を電話機能部３３に供給する。
【００５９】
次に、電話機能部３３の動作について、図７および図８を参照して説明する。図７は、電話機能部３３の要部の動作を示すシーケンス図であり、図８は、再生速度の設定動作を示すフローチャートである。
【００６０】
電話機能部３３のハンドオーバ情報取得部５５は、ハンドオーバ制御部３６からのハンドオーバ情報を一定間隔毎に監視し、ハンドオーバ予定有りの情報を取得した場合には、さらに、ハンドオーバ制御部３６からの所要のハンドオーバ情報であるハンドオーバ準備時間T1、ハンドオーバ元下り絶対遅延時間Tddn1、ハンドオーバ先下り絶対遅延時間Tddn2を取得して、その取得した所要のハンドオーバ情報を再生速度計算部５６に供給する。
【００６１】
再生速度計算部５６は、ハンドオーバ情報取得部５５から取得した所要のハンドオーバ情報に基づいて、第２無線通信ネットワーク１６の下り絶対遅延時間（Tddn2）と第１無線通信ネットワーク１５の下り絶対遅延時間（Tddn1）との差T2（T2= Tddn2- Tddn1）を算出して、所定値（＞０）を超えるか否かを判定する。
【００６２】
ここで、遅延時間差T2が所定値を超える場合には、再生速度計算部５６は、取得した所要のハンドオーバ情報と、ジッタバッファ監視部５０によるジッタバッファ４７の監視結果とに基づいて、再生速度Vを計算する（ステップＳ１１）。本実施の形態では、ハンドオーバ予定有りの情報を取得した時点から、ハンドオーバ先の第２無線通信ネットワーク１６からのパケットの受信開始時点で、ジッタバッファ４７内のパケット数が０となるように、下記の（４）式から、ジッタバッファ４７の受信パケットの再生速度Vを計算する。なお、（４）式において、Vnは標準再生速度を示し、Tbはハンドオーバ予定有りの情報を受信した時点でのジッタバッファ４７のパケット数（データ量）に相当する時間を示している。また、再生速度V,Vnは、時間比（時間／時間）で表しており、例えば、Vn＝１である。
［数４］
V=(Tb+T1×Vn)/(T1+T2)      ・・・（４）
【００６３】
再生速度計算部５６は、上記（４）式により再生速度Vを算出したら、再生速度評価部５７から最大評価値（本実施の形態では評価値５）における最低再生速度（本実施の形態では、V5）を取得して、算出した再生速度Vと評価値５に対応する再生速度V5とを比較する（ステップＳ１２）。
【００６４】
その結果、再生速度Vが再生速度V5以上の場合は、その算出した再生速度Vをジッタバッファ制御部５１に供給して、算出した再生速度Vでアプリを再生するように、ジッタバッファ４７からの受信パケットの読み出しを制御する（ステップＳ１３）。
【００６５】
これに対し、再生速度Vが再生速度V5未満の場合は、再生速度計算部５６は、さらに再生速度評価部５７から評価値４〜１における各最低再生速度Vm（Vm=V4,V3,V2,V1）を取得する。そして、最大の評価値である評価値５の最低再生速度V5を基準に、取得した他の評価値における各最低再生速度Vmとを用いて再生する場合の各再生速度Vmにおける再生時間tmを、下記（５）式から計算するとともに、その計算結果から基準となる再生速度V5における再生時間t5を算出する（ステップＳ１４）。なお、再生時間tmが、（T1+T2）を超える場合は、その再生速度の組み合わせは使用しないようにする。
［数５］
tm=｛(T1+T2)×V5-T1×Vn-Tb｝/(V5-Vm)      ・・・（５）
【００６６】
例えば、T1=380msec,T2=380msec,Ta=160msec,Tb=160msec,Vn=1(100%),V5=0.75(75%)、の場合、再生速度V1との組み合わせでは、再生速度V1(0%)の再生時間t1は、t1=｛(380+380)×0.75-380×1-160｝/(0.75-0)=40(msec)となり、再生速度V5の再生時間t5は、t5=380+380-40=720(msec)となる。また、再生速度V2との組み合わせでは、再生速度V2(50%)の再生時間t2は、t2=｛(380+380)×0.75-380×1-160｝/(0.75-0.5)=120(msec)となり、再生速度V5の再生時間t5は、t5=380+380-120=640(msec)となる。また、再生速度V3との組み合わせでは、再生速度V3(60%)の再生時間t3は、t3=｛(380+380)×0.75-380×1-160｝/(0.75-0.6)=200(msec)となり、再生速度V5の再生時間t5は、t5=380+380-200=560(msec)となる。さらに、再生速度V4との組み合わせでは、再生速度V4(71.4%)の再生時間t4は、t4=｛(380+380)×0.75-380×1-160｝/(0.75-0.714)=833.3(msec)となる。この場合は、再生時間t4が（T1+T2）を超えるので、この組み合わせは使用しないようにする。
【００６７】
図９〜図１２は、各再生速度の組み合わせ結果を示すもので、図９は再生速度V5（評価値５）と再生速度V1（評価値１）との組み合わせ結果を示し、図１０は再生速度V5と再生速度V2（評価値２）との組み合わせ結果を示し、図１１は再生速度V5と再生速度V3（評価値３）との組み合わせ結果を示している。また、図１２は、再生速度V4（評価値４）の再生時間t4がT1+T2を超える場合を示している。図１２の場合には、再生時間t4がT1+T2を超えているため、最初から再生速度V4で再生し続けても、最後にはパケットが無くなり、結果として再生速度V4と再生速度V1(無音)との組み合わせとなっている。なお、図９〜図１２の各図において、（ａ）はジッタバッファ４７が単位時間当たりに受信するパケット数を示し、（ｂ）は組み合わせた再生速度（読み出し間隔）およびその時間（期間）を示し、（ｃ）はジッタバッファ４７内のパケット数を示し、（ｄ）は評価値を示している。
【００６８】
再生速度計算部５６は、上記の演算を終了したら、演算した有効な再生速度の組み合わせ、およびその各再生速度による再生時間を、再生速度評価部５７に供給する。これにより、再生速度評価部５７は、再生速度計算部５６からの再生速度の組み合わせ情報に基づいて、複合評価値を算出する（図８のステップＳ１５）。
【００６９】
例えば、再生速度計算部５６から、上述した、再生速度V5と再生速度V1との組み合わせ情報、再生速度V5と再生速度V2との組み合わせ情報、および、再生速度V5と再生速度V3との組み合わせ情報、が入力された場合には、再生速度評価部５７は、それぞれの組み合わせ情報に基づいて、以下の演算を行なって、各複合評価値を算出する。
【００７０】
すなわち、再生速度V5と再生速度V1との組み合わせについては、再生速度V5の評価値５と、再生速度V1の評価値１と、各再生速度の再生時間とを用いて、5×720+1×40=3640、の複合評価値を算出し、再生速度V5と再生速度V2との組み合わせについては、5×640+2×120=3440、の複合評価値を算出し、再生速度V5と再生速度V3との組み合わせについては、5×560+3×200=3400、の複合評価値を算出する。
【００７１】
再生速度評価部５７は、上記の演算を終了したら、演算した各複合評価値を再生速度計算部５６に供給する。再生速度計算部５６は、再生速度評価部５７から入力された複合評価値のなかから、最も複合評価値の高い再生速度の組み合わせを選択し、その選択した再生速度の組み合わせにおける各再生速度および再生時間を、ジッタバッファ制御部５１に供給して、選択した各再生速度および再生時間でアプリを再生するように、ジッタバッファ４７からの受信パケットの読み出しを制御する（図８のステップＳ１６）。
【００７２】
例えば、上記の場合には、再生速度V5と再生速度V1との組み合わせを選択し、最初は再生速度V5 (75%)で720msec再生し、その後、40msecの間は、再生速度V1(0%=無音)とするように、ジッタバッファ４７を制御する。
【００７３】
ここで、ジッタバッファ制御部５１による受信パケットの再生速度制御は、例えば、以下に説明する第１の再生速度制御方法または第２の再生速度制御方法の何れかにより実行する。
【００７４】
（ａ）第１の再生速度制御方法
標準再生速度Vnに対するジッタバッファ４７からのパケットの読み出し間隔をTR1、上記（４）式における(Tb+T1×Vn)/(T1+T2)をk、算出した再生速度Vに対応するジッタバッファ４７からのパケットの読み出し間隔をTR、するとき、TR=TR1/k、とする。例えば、標準再生速度Vnでは、ジッタバッファ４７内のパケットを２０msecの間隔で読み出して再生するＶｏＩＰアプリの場合において、再生速度Vを標準再生速度Vnの７５％（k=0.75）とする場合には、ジッタバッファ４７からのパケットの読み出し間隔TRを、TR=20/0.75(msec)、とする。
【００７５】
（ｂ）第２の再生速度制御方法
ハンドオーバのための再生速度のコントロールを開始したら、その直後に再生したパケット（最初のパケット）のタイムスタンプと、その再生時間とを組み合わせて記録する。その後のパケットについては、下記（６）式で示す時間Tvに、ジッタバッファ４７から読み出して再生する。なお、（６）式において、TDは、遅延時間で、初期値は０である。
［数５］
Tv=（パケットのタイムスタンプ−最初のパケットのタイムスタンプ）＋（最初のパケットの再生時間＋TD）          ・・・（６）
【００７６】
ここで、ジッタバッファ４７からパケットを読み出す際、[{Vn/(Vn-V)}-1]個目に読み出したパケットは、コピーしてデコーダ４８内のメモリに記憶し、コピー元のパケットを再生した後、次の再生タイミングでコピーしたパケットを読み出して再生する。例えば、再生速度Vを、標準再生速度Vnの７５％とする場合には、図１３に示すように、ジッタバッファ４７内の順次の３個のパケットＰ１〜Ｐ３を順番に読み出して再生するとともに、３個目のパケットＰ３はコピーし、そのコピーしたパケットＰ３′は、コピー元のパケットＰ３を再生した後、次の再生タイミングで再生する。その後、ジッタバッファ４７からパケットＰ４を読み出す際は、上記（６）式のTDを、コピーによる再生間隔の時間分増加する。なお、[{Vn/(Vn-v)}-1]個目に読み出すパケットが、届いていなかったり、破棄されたりして、ジッタバッファ４７にない場合には、次の再生タイミングのパケットに対して、同様の処理を行う。
【００７７】
以上のようにして、ジッタバッファ制御部５１による受信パケットの再生速度制御を実行する。その後、ハンドオーバ情報取得部５５がハンドオーバ制御部３６からハンドオーバ完了情報を取得したら、再生速度計算部５６は、ジッタバッファ監視部５０から一定時間毎にパケットの受信間隔時間を取得して、取得した受信間隔時間の所定時間における平均値を算出し、その算出したパケット受信間隔平均値と、当該ＶｏＩＰアプリでの標準の受信間隔との差が、閾値以内に入ったか否かを監視する。
【００７８】
その結果、閾値以内に入った場合には、再生速度計算部５６は、ハンドオーバ先からのパケットを受信したと判定して、その時点でのジッタバッファ４７内のパケット数（データ量）をジッタバッファ監視部５０から取得し、その取得したパケット数が所定量を超えているか否かを判断する。
【００７９】
その結果、ジッタバッファ４７内のパケット数が所定量を超えていない場合には、当該パケット数が所定量を超える、t=(Ta-Tb)/(Vn-V5)の後に、通常の再生速度制御に戻すようにジッタバッファ制御部５１に指示する。ここで、Taは、ジッタバッファ４７内の標準パケット数に相当するジッタバッファ標準遅延時間である。これに対し、ジッタバッファ４７内のパケット数が所定量を超えている場合には、直ちに通常の再生速度制御に戻すようにジッタバッファ制御部５１に指示する。すなわち、再生速度計算部５６が、ハンドオーバ先からのパケットを受信したと判断したら、ジッタバッファ制御部５１は、ジッタバッファ４７内のパケット数が所定量を超えると、標準再生速度Vnに戻すようにジッタバッファ４７の読み出しを制御する。
【００８０】
以上のように、本実施の形態では、絶対遅延時間Tddn1の短い第１無線通信ネットワーク１５から、絶対遅延時間Tddn2の長い第２無線通信ネットワーク１６へハンドオーバする場合に、事前に、ハンドオーバまでの準備時間T1と、各絶対遅延時間Tddn1およびTddn2と、ハンドオーバ予定決定時点でのジッタバッファ４７のパケット数（データ量）とを取得して、それらの取得情報に基づいてアプリの再生速度を算出し、その算出した再生速度と、予め設定した再生速度毎の評価値とに基づいてアプリの再生速度を制御する。そして、算出した再生速度が、最大評価値における最低再生速度に達していない場合は、ハンドオーバ予定決定からハンドオーバ先からのパケットの受信開始時点までの期間で、複数の再生速度の組み合わせからなる複合評価値が最も高い再生速度の組み合わせを選択して、アプリを再生する。
【００８１】
したがって、本実施の形態によれば、ハンドオーバ元の第１無線通信ネットワーク１５とハンドオーバ先の第２無線通信ネットワーク１６との遅延時間差を長い時間をかけて吸収できるとともに、評価の高い再生速度で再生することができるので、再生品質およびリアルタイム性を低下させることなく、ハンドオーバが可能となる。例えば、上述した図９〜図１２に示すような再生速度の組み合わせの場合には、複合評価値が最も高い図９の再生速度の組み合わせが選択される。この場合、再生速度V1で短時間無音が生じても、それまでの再生速度V5は、聞き手の評価を考慮して選択された標準の再生速度に近い評価値５の再生速度である。したがって、図１０や図１１のように、評価値の低い再生時間を長くしたり、図１２のように評価値を「４」に落として再生したりする場合よりも、ハンドオーバ付近全体の再生音声の評価を高くできる。
【００８２】
なお、本発明は、上記実施の形態にのみ限定されるものではなく、幾多の変形または変更が可能である。例えば、本発明は、ＶｏＩＰのアプリを実行する場合に限らず、映像や音楽等のマルチメディアデータをストリーミング再生する場合のようなリアルタイム通信系のアプリケーションを実行する場合にも有効に適用できる。この場合には、アプリの実行部を、電話機能部に代えて、同様のジッタバッファの制御機能を有するマルチメディア機能部で構成すればよい。
【図面の簡単な説明】
【００８３】
【図１】本発明の一実施の形態に係る無線通信装置が使用可能な通信ネットワークの概略構成を示す図である。
【図２】図１に示した無線通信装置の概略構成を示すブロック図である。
【図３】図２に示した無線通信装置の電話機能部の概略構成を示す機能ブロック図である。
【図４】速度変化による音質の評価値と一定再生速度での音質の評価値とを示す図である。
【図５】図３に示した再生速度評価部に記憶する再生速度毎の評価値を示す図である。
【図６】図２に示したハンドオーバ制御部によるハンドオーバ準備時間の算出方法を説明するための図である。
【図７】図３に示した電話機能部の要部の動作を示すシーケンス図である。
【図８】図３に示した電話機能部による再生速度設定動作を示すフローチャートである。
【図９】図３に示した電話機能部による再生速度設定動作を説明する評価値５と評価値１との組み合わせ結果を示す図である。
【図１０】図３に示した電話機能部による再生速度設定動作を説明する評価値５と評価値２との組み合わせ結果を示す図である。
【図１１】図３に示した電話機能部による再生速度設定動作を説明する評価値５と評価値３との組み合わせ結果を示す図である。
【図１２】図３に示した電話機能部による再生速度設定動作を説明する評価値４と評価値１との組み合わせ結果を示す図である。
【図１３】図３に示したジッタバッファ制御部による受信パケットの再生速度制御方法の一例を説明するための図である。
【図１４】従来のジッタバッファの制御方法の一例を説明するための図である。
【図１５】図１４に示した制御方法によるパケットの流れを示す図である。
【図１６】従来のジッタバッファの制御方法の他の例を説明するための図である。
【図１７】図１６に示した制御方法によるパケットの流れを示す図である。
【符号の説明】
【００８４】
１１  無線通信装置
１２  相手通信端末
１２ａ  送受話器
１５  第１無線通信ネットワーク
１５ａ  アクセスポイント
１６  第２無線通信ネットワーク
１６ａ  基地局
１７  パケットネットワーク
１８  インターネット
２１，２２  ＳＩＰサーバ
２３  ホームエージェント（ＨＡ）
３１  第１無線Ｉ／Ｆ
３２  第２無線Ｉ／Ｆ
３３  電話機能部
３４  通信処理部
３５  無線情報取得部
３６  ハンドオーバ制御部
４７  ジッタバッファ
５０  ジッタバッファ監視部
５１  ジッタバッファ制御部
５５  ハンドオーバ情報取得部
５６  再生速度計算部
５７  再生速度評価部
【図１】
2009182653.tif 000003
【図２】
2009182653.tif 000004
【図３】
2009182653.tif 000005
【図４】
2009182653.tif 000006
【図５】
2009182653.tif 000007
【図６】
2009182653.tif 000008
【図７】
2009182653.tif 000009
【図８】
2009182653.tif 000010
【図９】
2009182653.tif 000011
【図１０】
2009182653.tif 000012
【図１１】
2009182653.tif 000013
【図１２】
2009182653.tif 000014
【図１３】
2009182653.tif 000015
【図１４】
2009182653.tif 000016
【図１５】
2009182653.tif 000017
【図１６】
2009182653.tif 000018
【図１７】
2009182653.tif 000019